(57)【要約】【課題】液体内容物の注出作業性に優れ、しかも、液体内容物を完全に注出することができるパウチ容器を提供する。【解決手段】自立性を有するボトムガセットタイプのパウチ本体１０と、このパウチ本体１０における一方の側縁に装着されるスパウト２０とから構成されている。パウチ本体１０は、表裏一対の外装シート１１と、外装シート１１の下端部において両者の間に折り込まれるガセットシート１２とから構成されており、外装シート１１の上縁部及び両側縁部が相互にヒートシールされることによって胴部が形成されると共に、外装シート１１間に折り込まれたガセットシート１２の周縁が外装シート１１の内面にヒートシールされることによってボトムガセット部が形成されている。スパウト２０が装着される一方のサイドシールＳＳａの内縁は、スパウト２０の装着位置からボトムガセット部に向かって、他方のサイドシールＳＳｂ側に徐々に近づいている。【選択図】        図１
2006206111.tif 000002
【特許請求の範囲】
【請求項１】
左右一対のサイドシールを有するボトムガセットタイプのパウチ本体の一方の前記サイドシール部分に注出口部が設けられた、自立性を備えたパウチ容器において、
前記パウチ本体における一方の前記サイドシールの内縁は、前記注出口部から前記パウチ本体の底部側に向かって、他方の前記サイドシール側に徐々に近づいていることを特徴とするパウチ容器。
【請求項２】
前記パウチ本体は、左右一対のサイドシールの外縁が内側に湾曲することによって、その胴部がくびれている請求項１に記載のパウチ容器。
【発明の詳細な説明】
【技術分野】
【０００１】
この発明は、例えば、トイレ洗浄剤、洗剤、シャンプー等の液体商品が充填されるパウチ容器、特に、左右一対のサイドシールを有するボトムガセットタイプのパウチ本体の一方の前記サイドシール部分に注出口部が設けられた、自立性を備えたパウチ容器に関する。
【背景技術】
【０００２】
トイレ洗浄剤、洗剤、シャンプー等の液体商品は、ボトル容器等に充填された状態で販売されていたが、ボトル容器等の有効利用を図るために、近年では、シャンプー等の液体商品を簡易なパウチ容器に充填した詰替用の液体商品が販売されている。
【０００３】
従って、消費者は、最初はボトル容器等に充填された液体商品を購入することになるが、この液体商品を使い切った場合は、ボトル容器等に充填された液体商品を新たに購入するのではなく、簡易なパウチ容器に充填された同じ商品である詰替用の液体商品を購入し、空になったボトル容器等に液体商品だけを詰め替えるようになってきている。
【０００４】
こういった詰替用の液体商品を充填するパウチ容器としては、例えば、図７に示すようなものがある。このパウチ容器５０は、同図に示すように、表裏一対の外装シート５２、５２の下端部からガセットシート５３が内側に折り込まれ、そのガセットシート５３の周縁部が外装シート５２、５２にヒートシールされると共に、ガセットシート５３に重なっていない外装シート５２、５２の周縁部が相互にヒートシールされることによって袋状に形成されたパウチ本体５１と、このパウチ本体５１の上縁部に装着された、スクリューキャップによって開閉可能なスパウト５４とを備えている。
【０００５】
ところで、こういったパウチ容器５０に充填された液体商品をボトル容器等に詰め替える場合は、図８に示すように、スパウト５４をボトル容器の口部に嵌入した状態で、パウチ容器５０を上下反転させなければならず、作業性が悪いといった問題があるので、近年では、図９（ａ）、（ｂ）に示すように、スパウト５４をパウチ本体５１の上縁シール部分ではなく、サイドシール部分に装着したパウチ容器５０Ａが望まれている。なお、同図（ｂ）における網掛け表示領域がヒートシール領域を示している。
【０００６】
【特許文献１】特許第３２６１５４３号公報（図５）
【発明の開示】
【発明が解決しようとする課題】
【０００７】
上述したように、サイドシール部分にスパウト５４が装着されたパウチ容器５０Ａでは、充填された液体商品をボトル容器等に詰め替える際、上下反転させる必要がなく、横に傾けるだけでよいので、注出作業性はよいが、パウチ容器５０Ａ内に充填された液体商品が一部パウチ本体５１内に残ってしまい、液体商品を完全に注出することができないといった問題がある。
【０００８】
そこで、この発明の課題は、液体内容物の注出作業性に優れ、しかも、液体内容物を完全に注出することができるパウチ容器を提供することにある。
【課題を解決するための手段】
【０００９】
上記の課題を解決するため、請求項１にかかる発明は、左右一対のサイドシールを有するボトムガセットタイプのパウチ本体の一方の前記サイドシール部分に注出口部が設けられた、自立性を備えたパウチ容器において、前記パウチ本体における一方の前記サイドシールの内縁は、前記注出口部から前記パウチ本体の底部側に向かって、他方の前記サイドシール側に徐々に近づいていることを特徴とするパウチ容器を提供するものである。
【００１０】
また、請求項２にかかる発明は、請求項１にかかる発明のパウチ容器において、前記パウチ本体における左右一対のサイドシールの外縁を内側に湾曲させることによって、前記パウチ本体の胴部にくびれを設けたのである。
【発明の効果】
【００１１】
以上のように、請求項１にかかる発明のパウチ容器では、パウチ本体における注出口部が設けられている一方のサイドシールの内縁が、その注出口部からパウチ本体の底部側に向かって、他方のサイドシール側に徐々に近づいているので、注出口部が下を向くように、このパウチ容器を真横に傾けると、注出口部が設けられている一方のサイドシールの内縁が、その注出口部からパウチ本体の底部側に向かって徐々に高くなっている。従って、このパウチ容器に充填された液体内容物を他の容器等に移し替える際、このパウチ容器では、底部側を必要以上に持ち上げなくても、真横に傾けるだけで、充填された液体内容物を完全に注出することができる。
【００１２】
また、請求項２にかかる発明のパウチ容器では、パウチ本体における左右一対のサイドシールの外縁を内側に湾曲させることによって、パウチ本体の胴部にくびれを設けてあるので、パウチ容器の胴部を手で掴み易くなり、パウチ容器の取扱性が向上する。
【発明を実施するための最良の形態】
【００１３】
以下、実施の形態について図面を参照して説明する。図１〜図３に示すように、このパウチ容器１は、トイレ洗浄剤、洗剤、シャンプー等の液体や流動体の内容物を充填するものであり、直鎖状低密度ポリエチレン（ＬＬＤＰＥ）等の熱接着性を有するシーラントフィルムの外面に、ポリアミドフィルム及びポリエチレンテレフタレートフィルムを積層した厚さ１００〜１５０μｍ程度の柔軟性シートによって形成された、自立性を有するボトムガセットタイプのパウチ本体１０と、このパウチ本体１０における一方の側縁に装着される熱接着性樹脂によって形成された、スクリューキャップ２１によって開閉可能なスパウト２０とから構成されている。
【００１４】
前記パウチ本体１０は、図２及び図３に示すように、略長方形状の表裏一対の外装シート１１、１１と、この外装シート１１、１１の下端部において両者の間に折り込まれるガセットシート１２とから構成されており、外装シート１１、１１の上縁部及び両側縁部が相互にヒートシールされることによって胴部が形成されると共に、外装シート１１、１１間に折り込まれたガセットシート１２の周縁が外装シート１１、１１の内面にヒートシールされることによってボトムガセット部が形成されている。また、ガセットシート１２の両側縁には、二つ折りした状態で相互に一致する切欠部１２ａがそれぞれ形成されており、この切欠部１２ａを介して、外装シート１１、１１の両側縁における下端部同士が部分的にヒートシールされている。なお、図３における網掛け表示領域がヒートシール領域を示している。
【００１５】
外装シート１１は、パウチ本体１０の胴部にくびれが形成されるように、両側縁の高さ方向の中央部を内側に湾曲させてあるが、両湾曲部１１ａ、１１ｂは対称形ではなく、パウチ本体１０の胴部を手で掴んだときに手にフィットするように、非対称に形成されている。
【００１６】
また、パウチ本体１０におけるスパウト２０が装着される一方のサイドシールＳＳａの内縁は、スパウト２０の装着位置からパウチ本体１０のボトムガセット部に向かって、他方のサイドシールＳＳｂ側に徐々に近づいており、図４に示すように、スパウト２０の注出口が下を向くように、このパウチ容器１を真横（パウチ本体１０の底側外縁が垂直方向を向く状態）に傾けると、パウチ本体１０におけるスパウト２０が装着されている一方のサイドシールＳＳａの内縁は、そのボトムガセット側がスパウト装着位置に対して、Δｈ（＝約５ｍｍ）だけ高くなっている。
【００１７】
また、サイドシールＳＳａの外縁は、図３に示すように、湾曲部１１ａを除いて、スパウト２０の装着位置とボトムガセット部の形成位置とが同一の垂直線Ｌ上にあり、外装シート１１の幅が、上部と下部で同一であるので、図５（ａ）に示すように、ボトムガセット部におけるサイドシールＳＳａのシール幅が広く形成されており、このパウチ容器１に内容物を充填したときのパウチ本体１０における底部の横幅Ｗ１と、同図（ｂ）に示すように、サイドシールＳＳａのシール幅が上下で同一になるように、外装シート１１の下部の幅を狭めたパウチ容器に内容物を充填したときのパウチ本体１０ａにおける底部の横幅Ｗ２とを比較すると、Ｗ１＞Ｗ２となり、自立安定性が低下することもない。
【００１８】
以上のように、このパウチ容器１では、スパウト２０の注出口が下を向くように、このパウチ容器１を真横に傾けると、パウチ本体１０におけるスパウト２０が装着されている一方のサイドシールＳＳａの内縁は、そのボトムガセット側がスパウト装着位置に対して、Δｈ（＝約５ｍｍ）だけ高くなっているので、このパウチ容器１に充填された液体内容物を他の容器等に移し替える際、このパウチ容器１では、底部側を必要以上に持ち上げなくても、真横に傾けるだけで、充填された液体内容物を完全に注出することができ、液体内容物の注出作業性がよい。
【００１９】
また、このパウチ容器１では、パウチ本体１０の胴部を手で掴んだときに手にフィットするように、パウチ本体１０における左右一対のサイドシールＳＳａ、ＳＳｂの外縁を内側に湾曲させることによって、パウチ本体１０の胴部に非対称のくびれを設けてあるので、パウチ本体１０の胴部を手で掴み易くなり、パウチ容器１の取扱性もよい。しかも、底部の横幅Ｗ１が狭くならないため、自立安定性が低下することもない。
【００２０】
なお、上述した実施形態では、パウチ本体１０の胴部を手で掴み易くするために、パウチ本体１０の両側縁に非対称の湾曲部１１ａ、１１ｂを設けているが、これに限定されるものではなく、両湾曲部は対称であってもよく、図６に示すパウチ容器１Ａのように、必ずしも、湾曲部を設ける必要はない。このように、湾曲部を設けない場合であっても、液体内容物の良好な注出作業性を確保するためには、パウチ本体１０Ａにおけるスパウト２０が装着される一方のサイドシールＳＳａの内縁が、スパウト２０の装着位置からパウチ本体１０Ａのボトムガセット部に向かって、他方のサイドシールＳＳｂ側に徐々に近づくようにしておく必要があることはいうまでもない。
【００２１】
また、上述した実施形態では、注出口部として、スクリューキャップ２１によって開閉可能なスパウト２０を採用しているが、これに限定されるものではなく、鋏等によって切除することで開封するノズル状の注出口部を採用することも可能である。
【００２２】
また、上述した各実施形態では、パウチ本体１０、１０ａ、１０Ａを形成する際に使用する２枚の外装シート１１、１１及びガセットシート１２が、それぞれ分離されている場合について説明したが、これに限定されるものではなく、２枚の外装シートとその間に位置するガセットシートとが相互に繋がった状態の１枚のシートを使用することも可能である。
【００２３】
また、上述した実施形態では、詰替用のパウチ容器について説明したが、これに限定されるものではなく、本発明は、様々な用途に使用されるパウチ容器について適用することができることはいうまでもない。
【図面の簡単な説明】
【００２４】
【図１】この発明にかかるパウチ容器の一実施形態を示す斜視図である。
【図２】（ａ）は同上のパウチ容器を示す平面図、（ｂ）は同上のパウチ容器を示す側面図である。
【図３】同上のパウチ容器を扁平に折り畳んだ状態を示す正面図である。
【図４】同上のパウチ容器の注出作業性を説明するための説明図である。
【図５】（ａ）、（ｂ）は同上のパウチ容器の自立安定性を説明するための説明図である。
【図６】他の実施形態であるパウチ容器を扁平に折り畳んだ状態を示す正面図である。
【図７】背景技術としての一般的なパウチ容器を示す斜視図である。
【図８】同上のパウチ容器の使用方法を説明するための説明図である。
【図９】（ａ）は従来のパウチ容器を示す斜視図、（ｂ）は同上のパウチ容器を扁平に折り畳んだ状態を示す正面図である。
【符号の説明】
【００２５】
１、１Ａ  パウチ容器
１０、１０ａ、１０Ａ  パウチ本体
１１  外装シート
１１ａ、１１ｂ  湾曲部
１２  ガセットシート
１２ａ  切欠部
２０  スパウト
２１  スクリューキャップ
ＳＳａ、ＳＳｂ  サイドシール
【図１】
2006206111.tif 000003
【図２】
2006206111.tif 000004
【図３】
2006206111.tif 000005
【図４】
2006206111.tif 000006
【図５】
2006206111.tif 000007
【図６】
2006206111.tif 000008
【図７】
2006206111.tif 000009
【図８】
2006206111.tif 000010
【図９】
2006206111.tif 000011